(57)【要約】      （修正有）【課題】  電子レンジ動作時に発生する２．４５ＧＨｚ帯の電磁波ノイズを低減させることが可能な電子レンジの提供。【解決手段】  電子レンジ１は、加熱室３を有する電子レンジ本体２と、ドア５とを具備する。電子レンジ本体２とドア５との隙間を塞ぐ位置に配設したフェライトシート１４がドアパネル７のチョーク溝６から漏洩する電波を低減させる。リヤ窓フィルム１０の外側に配設したパンチングメタル板１１及びフロント窓ガラス１３の内側に配設したワイヤメッシュシート１９がドア５の窓から漏洩する電波を遮蔽し、遮蔽した電波が銅箔テープ２０，アルミテープ１７，ＥＭＩガスケット１８を介してドアケース８へと流れる。フェライトシート２１，２４がドア５の隙間から漏洩する電波を低減させる。【選択図】    図７
2006162170.tif 000002
【特許請求の範囲】
【請求項１】
電子レンジ本体と、前記電子レンジ本体の内部に形成された被加熱物を入れて加熱する加熱室と、前記加熱室の開口部に臨んで前記電子レンジ本体に開閉自在に設けられたドアとを具備した電子レンジにおいて、
前記ドアは、外周縁に沿って電波を減衰させるためのチョーク構造を形成した金属製のドアパネルと、前記ドアパネルの前面から周側面に跨って装着される金属製のドアケースと、前記ドアパネルの窓孔に臨んで配設された透明なリヤ窓フィルムと、前記リヤ窓フィルムの前記加熱室と反対側に配設された電波を遮蔽するパンチングメタル板と、前記ドアケースの窓孔に臨んで配設された透明なフロント窓ガラスとを備えており、前記電子レンジ本体と前記ドアとの隙間を塞ぐ位置に電波を吸収する第１の電波吸収体を配設し、前記第１の電波吸収体の外側に通過した電波を反射するための弾性を有する金属シールドカバーを配設して電波吸収トリムとし、前記フロント窓ガラスの外周縁に導電性を有するアルミテープを取付けると共に、前記フロント窓ガラスの前記加熱室と反対側の前記アルミテープ上に前記ドアケースと導通させるための導電性を有するＥＭＩガスケットを取付け、前記フロント窓ガラスの内側に電波を遮蔽する金属製のワイヤメッシュシートを配設し、前記ワイヤメッシュシートの外周縁に前記アルミテープと導通させるための導電性を有する銅箔テープを取付け、前記ドアパネルのチョーク構造の前側と前記銅箔テープとの間に電波を吸収する第２の電波吸収体を配設し、前記ドアパネルのチョーク構造の外側壁と前記ドアケースの外周壁との隙間に電波を吸収する第３の電波吸収体を配設したことを特徴とする電子レンジ。
【請求項２】
上記電波吸収トリムは、上記金属シールドカバーを介して上記電子レンジ本体とグランドされる請求項１に記載の電子レンジ。
【発明の詳細な説明】
【技術分野】
【０００１】
本発明は、航空機内における無線ＬＡＮ通信を妨げる加熱室内から漏洩する高周波の電波を低減させる電子レンジに関するものである。
【背景技術】
【０００２】
高周波加熱装置の一種である電子レンジは、周波数２．４５ＧＨｚのマイクロ波による発熱効果を応用したものである。
【０００３】
電子レンジの発振周波数と無線ＬＡＮ（Ｌｏｃａｌ  Ａｒｅａ  Ｎｅｔｗｏｒｋ）通信の周波数とは、同じＩＳＭ（Ｉｎｄｕｓｔｒｉａｌ  Ｓｃｉｅｎｔｉｆｉｃ  Ｍｅｄｉｃａｌ）バンドの２．４５ＧＨｚ帯を利用しているため、電子レンジから発生する電磁波ノイズが無線ＬＡＮ通信を妨げ、通信エラーを引き起こす可能性がある。
【０００４】
一方、近年、航空機内におけるインターネットサービスのニーズが高まり、また、以前より顧客サービスに欠かせない電子レンジと無線ＬＡＮ通信とを共存させたいというニーズにより、電子レンジ動作時に発生する電磁波ノイズを低減させる必要があった。
【０００５】
一般に、現在市販されている電子レンジの大部分は、出力電波を加熱室内から外部に漏洩させない手段として、そのドアに電波を減衰させるためのチョーク構造を備えている。
【０００６】
また、電子レンジの加熱室内を監視するためのドアの窓には、直径１ｍｍ程度の多数の孔の空いた電波を遮蔽するためのパンチングメタル板を使用し、ドアからの電波漏洩をパンチングメタル板により防止している。
【０００７】
従来、漏洩電波を減衰させるチョーク構造を備えたドアと漏洩電波を遮蔽するパンチングメタル板とを具備した電子レンジが特許文献１及び特許文献２に開示されている。
【特許文献１】特開平５−２６４５８号公報
【特許文献２】特開２０００−９７４４１号公報
【発明の開示】
【発明が解決しようとする課題】
【０００８】
しかし、特許文献１及び特許文献２に開示された電子レンジでは、ドアのチョーク構造とパンチングメタル板で防ぎきれずに漏洩する電波が、無線ＬＡＮ通信における電界強度レベルから見ると、大きな電波漏洩となり、無線ＬＡＮ通信の妨げとなる。
【０００９】
したがって、現在の電子レンジの主流となっているドアのチョーク構造とパンチングメタル板で防ぎきれない２．４５ＧＨｚ帯の漏洩電波をさらに抑制することが課題であった。
【００１０】
しかも、２．４５ＧＨｚ帯の漏洩電波の抑制方法として、電子レンジのドアのチョーク構造に手を加えることは、ＤＨＨＳ（Ｄｅｐａｒｔｍｅｎｔ  ｏｆ  Ｈｅａｌｔｈ  ａｎｄ  Ｈｕｍａｎ  Ｓｅｒｖｉｃｅｓ）規格に抵触するため、このチョーク構造に手を加えずに、電子レンジの加熱室内から外部に漏洩する電波を低減させなければならなかった。
【００１１】
そこで、本発明は、上記の事情に鑑みてなされたものであって、電子レンジ動作時に発生する２．４５ＧＨｚ帯の電磁波ノイズが低減するため、無線ＬＡＮ通信の電波障害による通信エラーを減少させることが可能な電子レンジを提供することを目的とする。
【課題を解決するための手段】
【００１２】
本発明の電子レンジは、電子レンジ本体と、前記電子レンジ本体の内部に形成された被加熱物を入れて加熱する加熱室と、前記加熱室の開口部に臨んで前記電子レンジ本体に開閉自在に設けられたドアとを具備した電子レンジにおいて、前記ドアが、外周縁に沿って電波を減衰させるためのチョーク構造を形成した金属製のドアパネルと、前記ドアパネルの前面から周側面に跨って装着される金属製のドアケースと、前記ドアパネルの窓孔に臨んで配設された透明なリヤ窓フィルムと、前記リヤ窓フィルムの前記加熱室と反対側に配設された電波を遮蔽するパンチングメタル板と、前記ドアケースの窓孔に臨んで配設された透明なフロント窓ガラスとを備えており、前記電子レンジ本体と前記ドアとの隙間を塞ぐ位置に電波を吸収する第１の電波吸収体を配設し、前記第１の電波吸収体の外側に通過した電波を反射するための弾性を有する金属シールドカバーを配設して電波吸収トリムとし、前記フロント窓ガラスの外周縁に導電性を有するアルミテープを取付けると共に、前記フロント窓ガラスの前記加熱室と反対側の前記アルミテープ上に前記ドアケースと導通させるための導電性を有するＥＭＩガスケットを取付け、前記フロント窓ガラスの内側に電波を遮蔽する金属製のワイヤメッシュシートを配設し、前記ワイヤメッシュシートの外周縁に前記アルミテープと導通させるための導電性を有する銅箔テープを取付け、前記ドアパネルのチョーク構造の前側と前記銅箔テープとの間に電波を吸収する第２の電波吸収体を配設し、前記ドアパネルのチョーク構造の外側壁と前記ドアケースの外周壁との間に電波を吸収する第３の電波吸収体を配設したことを特徴とする構成を有するものである。
【００１３】
上記に記載の本発明によれば、電子レンジ動作時のドアのチョーク溝からの漏洩電波低減対策として、電子レンジ本体とドアとの隙間を塞ぐ位置に第１の電波吸収体を取付け、第１の電波吸収体の外側に金属シールドカバーを取付けて電波吸収トリムとしたので、ドアのドアパネルのチョーク溝から漏洩する電波を第１の電波吸収体により吸収して低減させると共に、第１の電波吸収体を通過した電波を金属シールドカバーで反射して再度電波吸収体により吸収して低減させることができる。
【００１４】
また、電子レンジ動作時のドアの窓からの漏洩電波低減対策として、ドアケースの窓孔に臨んで配設したフロント窓ガラスの外周縁にアルミテープを取付けると共に、フロント窓ガラスの加熱室と反対側のアルミテープ上にＥＭＩガスケットを取付け、フロント窓ガラスの内側に配設したワイヤメッシュシートの外周縁に銅箔テープを取付け、ドアのリヤ窓フィルムを通過して漏洩しようとする電波をワイヤメッシュシートで遮蔽し、ワイヤメッシュシートで遮蔽した電波を銅箔テープ，アルミテープ及びＥＭＩガスケットを介してドアケースへと流れるので、ドアの窓からの漏洩する電磁波ノイズを低減させることができる。
【００１５】
さらに、電子レンジ動作時のドアの隙間からの漏洩電波低減対策として、ドアパネルのチョーク構造の前側と銅箔テープとの間に第２の電波吸収体を配設すると共に、ドアパネルのチョーク構造の外側壁とドアケースの外周壁との間に第３の電波吸収体を配設したので、ドアパネルとドアケースとの隙間から漏洩する電波を第２の電波吸収体及び第３の電波吸収体により吸収して低減させることができる。
【００１６】
本発明の電子レンジは、上記電波吸収トリムが、上記金属シールドカバーを介して上記電子レンジ本体とグランドされている。
【００１７】
上記に記載の本発明によれば、第１の電波吸収体で吸収したドアのドアパネルのチョーク構造から漏洩した電波が金属シールドカバーを介して電子レンジ本体へと流れるので、ドアのチョーク構造から漏洩する電磁波ノイズを低減させることができる。
【発明の効果】
【００１８】
以上に述べたように、本発明によれば、電子レンジ動作時に発生する２．４５ＧＨｚ帯の電磁波ノイズが低減するため、無線ＬＡＮ通信の電波障害による通信エラーを減少させることが可能な電子レンジを得ることができる。
【発明を実施するための最良の形態】
【００１９】
以下、本発明を実施するための最良の形態を図面を参照して詳細に説明する。
【実施例】
【００２０】
図１は、本発明に係る実施例の電子レンジの構成を示す正面図、図２は、図１の底面図、図３は、図１の左側面図、図４は、図１の右側面図、図５は、本発明に係る実施例の電子レンジのドア開放状態を示す要部斜視図、図６は、本発明に係る実施例の電子レンジの電波吸収トリムの構成を示す要部斜視図、図７は、本発明に係る実施例の電子レンジのドアの要部側断面図、図８は、本発明に係る実施例の電子レンジのドアの構成を示す分解斜視図である。
本発明の電子レンジ１は、電子レンジ本体２と、電子レンジ本体２の内部に形成された被加熱物となる食品（図示せず）を入れて加熱する食品加熱用の加熱室３と、電子レンジ本体２に加熱室３の前方に向って開口する開口部４に臨んで開閉自在に設けられたドア５とを具備している。
【００２１】
本発明の電子レンジ１は、ドア５が、外周縁に沿って電波を減衰させるためのチョーク構造となるチョーク溝６を形成した金属製のドアパネル７と、ドアパネル７の前面から周側面に跨って装着される金属製のドアケース８と、ドアパネル７の窓孔９に臨んで配設された透明なリヤ窓フィルム１０と、リヤ窓フィルム１０の加熱室３と反対側に配設された電波を遮蔽するパンチングメタル板１１と、ドアケース８の窓孔１２に臨んで配設された透明なフロント窓ガラス１３とを備えている。
【００２２】
本発明の電子レンジ１は、電子レンジ本体２とドア５との上側，下側及び両側の隙間を塞ぐ位置に電波を吸収する第１の電波吸収体となるフェライトシート１４を配設し、フェライトシート１４の外側にこれを通過した電波を反射するための弾性を有する金属シールドカバー１５を配設して電波吸収トリム１６としている。
【００２３】
本発明の電子レンジ１は、フロント窓ガラス１３の外周縁に導電性を有するアルミテープ１７を取付けると共に、フロント窓ガラス１３の加熱室３と反対側のアルミテープ１７上にドアケース８と導通させるための導電性を有するＥＭＩ（Ｅｌｅｃｔｒｏ  Ｍａｇｎｅｔｉｃ  Ｉｎｔｅｒｆｅｒｅｎｃｅ）ガスケット１８を取付けてある。
【００２４】
本発明の電子レンジ１は、フロント窓ガラス１３の内側に電波を遮蔽する金属製のワイヤメッシュシート１９を配設し、ワイヤメッシュシート１９の外周縁にアルミテープ１７と導通させるための導電性を有する銅箔テープ２０を取付けてある。
【００２５】
本発明の電子レンジ１は、ドアパネル７のチョーク溝６の前側と銅箔テープ２０との間に電波を吸収する第２の電波吸収体となるフェライトシート２１を配設してある。
【００２６】
本発明の電子レンジ１は、ドアパネル７のチョーク溝６の外側壁２２とドアケース８の外周壁２３との隙間に電波を吸収する第３の電波吸収体となるフェライトシート２４を配設してある。
【００２７】
本発明の電子レンジ１は、電子レンジ本体２の両側に配置された電波吸収トリム１６が、金属シールドカバー１５を介して電子レンジ本体２とグランドされている。
【００２８】
電子レンジ１の電子レンジ本体２の前側には、図１及び図５に示すように、加熱室３の開口部４に臨んでドア５がヒンジ（図示せず）を介して開閉自在に配置されている。
【００２９】
電子レンジ本体２は、図１及び図５に示すように、ドア５の上部に電子レンジ１を操作する操作部２５を備えている。
【００３０】
電子レンジ１のドア５には、ヒンジ取付部の切欠孔（図示せず）に電波を吸収する第４の電波吸収体となるフェライトシート（図示せず）が取付けられている。
【００３１】
電子レンジ１の電子レンジ本体２とドア５との上側の隙間を塞ぐ位置には、図１，図３及び図４に示すように、水平方向に沿ってフェライトシート１４が配置され、フェライトシート１４の外側にはこれを覆う金属シールドカバー１５が被着されている。
【００３２】
電子レンジ１の電子レンジ本体２とドア５との下側の隙間を塞ぐ位置には、図１及び図２に示すように、水平方向に沿ってフェライトシート１４が配置され、フェライトシート１４の外側にはこれを覆う金属シールドカバー１５が被着されている。
【００３３】
電子レンジ１の電子レンジ本体２とドア５との両側の隙間を塞ぐ位置には、図１，図３及び図４に示すように、垂直方向に沿ってフェライトシート１４，１４がそれぞれ配置され、フェライトシート１４の外側にはこれを覆う金属シールドカバー１５が被着されている。
【００３４】
電波吸収トリム１６は、図６に示すように、フェライトシート１４と金属シールドカバー１５から構成されている。
【００３５】
金属シールドカバー１５は、図６に示すように、フェライトシート１４を嵌合して覆う断面コ字型のカバー本体１５０を有し、カバー本体１５０の片側には一側方に向って張出した取付片１５１が一体に形成されている。
【００３６】
電子レンジ１の電子レンジ本体２とドア５の上側の隙間に臨む金属シールドカバー１５の取付片１５１は、図１に示すように、ドア５のドアケース８の前板２６にビス等の止め具により固定されている。
【００３７】
電子レンジ１の電子レンジ本体２とドア５の下側の隙間に臨む金属シールドカバー１５の取付片１５１は、図２に示すように、ドア５のドアケース８の下側の外周壁２３にビス等の止め具により固定されている。
【００３８】
電子レンジ１の電子レンジ本体２とドア５の両側の隙間に臨む金属シールドカバー１５の取付片１５１は、図３及び図４に示すように、電子レンジ本体２の側壁２７にビス等の止め具により固定されている。
【００３９】
電子レンジ１の電子レンジ本体２の操作部２５の下面には、図５に示すように、ドア５の上縁に臨んで電波を吸収する第５の電波吸収体となるフェライトシート２８が配設されている。
【００４０】
電子レンジ１のドア５のドアパネル７のドアパネル本体７０には、図７及び図８に示すように、窓孔９が開設され、ドアパネル７のドアパネル本体７０の外周縁には加熱室３側に向って開口する断面コ字型のチョーク溝６が形成され、ドアパネル７のチョーク溝６にはこれを閉塞する合成樹脂製のチョークカバー（図示せず）が装着されている。
【００４１】
電子レンジ１のドア５のドアパネル７のドアパネル本体７０の内側には、図７及び図８に示すように、窓孔９に臨んでリヤ窓フィルム１０が配設され、リヤ窓フィルム１０の加熱室３と反対側には多数のパンチング孔を有するパンチングメタル板１１が配設されている。
【００４２】
電子レンジ１のドア５のドアケース８の前板２６には、図７及び図８に示すように、窓孔１２が開設され、ドアケース８の前板２６の一側縁寄りの外側にはドアパネル７と共締めで取手２９が固設されている。
【００４３】
電子レンジ１のドア５のドアケース８の前板２６の内側には、図７に示すように、窓孔１２に臨んでフロント窓ガラス１３が配設され、フロント窓ガラス１３の外周縁には、図８に示すように、アルミテープ１７が貼着され、フロント窓ガラス１３の外周縁の加熱室３と反対側にはアルミテープ１７上にドアケース８の前板２６と接触するＥＭＩガスケット１８が装着され、アルミテープ１７はＥＭＩガスケット１８を介してドアケース８と導通されている。
【００４４】
フロント窓ガラス１３の内側には、図７に示すように、ステンレス製のワイヤメッシュシート１９が配設され、ワイヤメッシュシート１９の外周縁には、図８に示すように、アルミテープ１７と接触する銅箔テープ２０が貼着され、ワイヤメッシュシート１９は銅箔テープ２０を介してアルミテープ１７と導通されている。
【００４５】
電子レンジ１のドア５のドアパネル７のチョーク溝６の前壁７１の窓孔９の内周縁寄りの外側には、図７及び図８に示すように、ワイヤメッシュシート１９の外周縁の銅箔テープ２０と接触するフェライトシート２１が配設されている。
【００４６】
電子レンジ１のドア５のドアパネル７の窓孔９の一側に位置するチョーク溝６の前壁７１の外側には、図８に示すように、電波を吸収する第６の電波吸収体となるフェライトシート３０，３１が配設されている。
【００４７】
電子レンジ１のドア５のドアパネル７のチョーク溝６の外側壁２２とドアケース８の外周壁２３との隙間には、図７及び図８に示すように、フェライトシート２４が配設されている。
【００４８】
まず、電子レンジのドアのチョーク構造からの漏洩電波低減対策について説明する。
電子レンジ１は、動作時に２．４５ＧＨｚ帯の電磁波ノイズが発生する。
【００４９】
電子レンジ１の電子レンジ本体２の開口部４から漏洩する電波を、ドア５のドアパネル７のチョーク溝６により減衰させる。
【００５０】
また、電子レンジ１のドア５のドアパネル７のチョーク溝６から漏洩する電波を、フェライトシート１４及びフェライトシート２８により吸収して低減させると共に、フェライトシート１４を通過した電波は、金属シールドカバー１５で反射して再度フェライトシート１４により吸収して低減される。
【００５１】
さらに、電子レンジ１の両側に位置する電波吸収トリム１６のフェライトシート１４により吸収しきれず通過した電波は、金属シールドカバー１５を介して電子レンジ本体２へと流れる。
【００５２】
次いで、電子レンジのドアの窓からの漏洩電波低減対策について説明する。
電子レンジ１のドア５のリヤ窓フィルム１０を通過して漏洩しようとする電波を、パンチングメタル板１１で遮蔽し、ドアパネル７とドアケース８との隙間から漏洩する電波を、フェライトシート２１，フェライトシート２４及びフェライトシート３０，３１により吸収して低減させる。
【００５３】
また、電子レンジ１のドア５のヒンジ取付部の切欠孔から漏洩する電波を、電波吸収体により吸収して低減させる。
【００５４】
パンチングメタル板１１を通過して漏洩しようとする電波を、ワイヤメッシュシート１９で遮蔽し、ワイヤメッシュシート１９で遮蔽した電波は、銅箔テープ２０，アルミテープ１７及びＥＭＩガスケット１８を介してドア５のドアケース８へと流れる。
【００５５】
したがって、電子レンジ１の動作時に発生する２．４５ＧＨｚ帯の電磁波ノイズが低減するので、無線ＬＡＮ通信の電波障害による通信エラーが減少する。
【００５６】
図９は、従来の電子レンジ動作時の電磁波ノイズの測定結果を表すグラフ、図１０は、本発明に係る実施例の電子レンジ動作時の電磁波ノイズの測定結果を表すグラフである。
従来の電子レンジ動作時に発生する電磁波ノイズを電磁波ノイズ測定装置を用いて測定した測定結果を図９に示す。
図９において、横軸は周波数、縦軸は電磁波ノイズレベルである。
２．４５ＧＨｚ帯のノイズピーク値は、約１３４ｄＢμＶ／ＭＨｚであった。
【００５７】
また、本実施例の電子レンジ動作時に発生する電磁波ノイズを電磁波ノイズ測定装置を用いて測定した測定結果を図１０に示す。
図１０において、横軸は周波数、縦軸は電磁波ノイズレベルである。
２．４５ＧＨｚ帯のノイズピーク値は、約１１２ｄＢμＶ／ＭＨｚであった。
【００５８】
ここで、図９に示す従来の電子レンジ動作時の電磁波ノイズの測定結果のデータと図１０に示す本実施例の電子レンジ動作時に発生する電磁波ノイズのデータとを比較すると、本実施例の電子レンジは、２．４５ＧＨｚ帯のノイズピーク値で２２ｄＢμＶ／ＭＨｚの減少を確認することができた。
【図面の簡単な説明】
【００５９】
【図１】本発明に係る実施例の電子レンジの構成を示す正面図。
【図２】図１の底面図。
【図３】図１の左側面図。
【図４】図１の右側面図。
【図５】本発明に係る実施例の電子レンジのドア開放状態を示す要部斜視図。
【図６】本発明に係る実施例の電子レンジの電波吸収トリムの構成を示す要部斜視図。
【図７】本発明に係る実施例の電子レンジのドアの要部側断面図。
【図８】本発明に係る実施例の電子レンジのドアの構成を示す分解斜視図。
【図９】従来の電子レンジ動作時の電磁波ノイズの測定結果を表すグラフ。
【図１０】本発明に係る実施例の電子レンジ動作時の電磁波ノイズの測定結果を表すグラフ。
【符号の説明】
【００６０】
１  電子レンジ
２  電子レンジ本体
３  加熱室
４  開口部
５  ドア
６  チョーク溝（チョーク構造）
７  ドアパネル
８  ドアケース
９  窓孔
１０  リヤ窓透明フィルム
１１  パンチングメタル板
１２  窓孔
１３  フロント窓ガラス
１４  フェライトシート（第１の電波吸収体）
１５  金属シールドカバー
１６  電波吸収トリム
１７  アルミテープ
１８  ＥＭＩガスケット
１９  ワイヤメッシュシート
２０  銅箔テープ
２１  フェライトシート（第２の電波吸収体）
２２  外側壁
２３  外周壁
２４  フェライトシート（第３の電波吸収体）
２５  操作部
２６  前板
２７  側壁
２８  フェライトシート（第５の電波吸収体）
２９  取手
３０  フェライトシート（第６の電波吸収体）
３１  フェライトシート（第６の電波吸収体）
７０  ドアパネル本体
７１  前壁
１５０  カバー本体
１５１  取付片
【図１】
2006162170.tif 000003
【図２】
2006162170.tif 000004
【図３】
2006162170.tif 000005
【図４】
2006162170.tif 000006
【図５】
2006162170.tif 000007
【図６】
2006162170.tif 000008
【図７】
2006162170.tif 000009
【図８】
2006162170.tif 000010
【図９】
2006162170.tif 000011
【図１０】
2006162170.tif 000012